(57)【要約】【課題】工場や現場での防食のための工程を排除でき、鋼製土台胴縁本体に対する定着筋の取付けを無溶接で行える構造の鋼製土台胴縁を提供する。【解決手段】土台胴縁本体２が、閉鎖断面の、高耐食溶融Ｚｎ−Ａｌ−Ｍｇ合金プレめっき鋼板の成形加工品からなり、該土台胴縁本体２の周壁の上面部と下面部とに明けられた通孔２ａ，２ａに定着筋３が貫通状態に通され、該定着筋３の外周ネジ部に螺合された上下のナット４，５が土台胴縁本体１を上下方向から挟み込んで定着筋３を土台胴縁本体２に取り付けている。【選択図】      図１
2010255354.tif 000002
【特許請求の範囲】
【請求項１】
コンクリート腰壁の上端部に横向きに設けられる鋼製の土台胴縁本体と、該土台胴縁本体に取り付けられて、下方の腰壁コンクリート中に埋込み状態にされる定着筋とを備える鋼製の土台胴縁であって、
前記土台胴縁本体が、閉鎖断面の、高耐食溶融Ｚｎ−Ａｌ−Ｍｇ合金プレめっき鋼板の成形加工品からなり、該土台胴縁本体の周壁の上面部と下面部とに明けられた通孔に前記定着筋が貫通状態に通され、該定着筋の外周ネジ部に螺合された上下のナットが土台胴縁本体を上下方向から挟み込んで定着筋を土台胴縁本体に取り付けていることを特徴とする無塗装・無溶接の鋼製土台胴縁。
【発明の詳細な説明】
【技術分野】
【０００１】
本発明は、無塗装・無溶接の鋼製土台胴縁に関する。
【背景技術】
【０００２】
工場、倉庫、店舗等の鉄骨造建物において、外装材等の取付けの下地となる鋼製胴縁のなかに、コンクリート腰壁の上側に隣接して設けられる外装板の下端部を取り付けるための下地となる土台胴縁があり、この鋼製土台胴縁として、角形パイプ状の閉鎖断面をした鋼製土台胴縁本体の側面部に、下方の腰壁コンクリート中に埋込み状態にされる定着筋を溶接で取り付けた構造のものがある。
【０００３】
この鋼製土台胴縁は、工場において、定着筋を土台胴縁本体に溶接で取り付けた後、防食のための塗装をし、しかる後、それを建築現場に搬送し、現場で、コンクリート腰壁の型枠内に設置してコンクリートを打設し、定着筋を腰壁コンクリート中に埋込み状態にするというようにして施工され、現場での仕上げ塗装もなされていた。
【先行技術文献】
【特許文献】
【０００４】
【特許文献１】特開平１０−２１９８８３号公報
【発明の概要】
【発明が解決しようとする課題】
【０００５】
しかしながら、上記のような方法では、鋼製の土台胴縁本体に対して工場で定着筋を溶接した後、防食のための塗装を行う必要があり、手間を要するという問題があった。また、定着筋を鋼製の土台胴縁本体に取り付けるための溶接技能者が必要であるという問題もあった。
【０００６】
本発明は、上記のような問題点に鑑み、工場や現場での防食のための工程を排除することができると共に、鋼製土台胴縁本体に対する定着筋の取付けを無溶接で行うことができる、鋼製土台胴縁を提供することを課題とする。
【課題を解決するための手段】
【０００７】
上記の課題は、コンクリート腰壁の上端部に横向きに設けられる鋼製の土台胴縁本体と、該土台胴縁本体に取り付けられて、下方の腰壁コンクリート中に埋込み状態にされる定着筋とを備える鋼製の土台胴縁であって、
前記土台胴縁本体が、閉鎖断面の、高耐食溶融Ｚｎ−Ａｌ−Ｍｇ合金プレめっき鋼板の成形加工品からなり、該土台胴縁本体の周壁の上面部と下面部とに明けられた通孔に前記定着筋が貫通状態に通され、該定着筋の外周ネジ部に螺合された上下のナットが土台胴縁本体を上下方向から挟み込んで定着筋を土台胴縁本体に取り付けていることを特徴とする無塗装・無溶接の鋼製土台胴縁によって解決される。
【０００８】
この鋼製土台胴縁では、土台胴縁本体が高耐食溶融Ｚｎ−Ａｌ−Ｍｇ合金プレめっき鋼板の成形加工品からなり、定着筋は、土台胴縁本体の周壁の上面部と下面部とに明けられた通孔に貫通状態に通され、上下のナットで土台胴縁本体を上下方向から挟み込んで土台胴縁本体に取り付けた構造となっているから、鋼製土台胴縁本体を製作する過程で行われる切断や、定着筋を貫通させる通孔の孔明けを行っても、めっき層による犠牲腐食作用が強く働き、それらの部分が原因で後に腐食を生じてしまうというようなことはなく、そのため、定着筋の取り付けられた鋼製土台胴縁に対して、塗装や後めっきをする必要がなく、工場や現場での防食のための工程をなくすことができる。
【０００９】
また、このように、定着筋をネジ接合で土台胴縁本体に取り付けた構造であるから、それらの接合のための溶接技能者を用意する必要もなくすことができる。
【００１０】
しかも、定着筋は、閉鎖断面の土台胴縁本体に対し、該土台胴縁本体を上下方向に貫通するように備えられているから、土台胴縁本体と定着筋とを同心状態にすることができ、ないしは、同心状態に近い状態にすることができて、土台胴縁本体を定着筋によって力学的に安定良くコンクリート腰壁と連結することができる。
【００１１】
更に、土台胴縁本体を上方から挟み込むのがナットからなっているので、建物解体時には、この上ナットを外すことで、土台胴縁本体をコンクリート腰壁から容易に分離することができて、解体作業を容易にすることができると共に、土台胴縁本体のリユースも容易にすることができる。
【発明の効果】
【００１２】
本発明の鋼製土台胴縁は、以上のとおりのものであるから、工場や現場での防食のための工程を排除することができると共に、鋼製土台胴縁本体に対する定着筋の取付けを無溶接で行うことができる。しかも、土台胴縁本体を定着筋によって力学的に安定良くコンクリート腰壁と連結することができ、建物解体時には、土台胴縁本体をコンクリート腰壁から容易に分離することができて、解体作業を容易にすることができると共に、土台胴縁本体のリユースも容易にすることができる。
【図面の簡単な説明】
【００１３】
【図１】実施形態の鋼製土台胴縁を示すもので、図（イ）は断面側面図、図（ロ）はコンクリート腰壁への設置状態を示す断面側面図、図（ハ）は一部断面斜視図、図（ニ）は土台胴縁本体と定着筋とを分離状態にして示す一部断面斜視図である。
【発明を実施するための形態】
【００１４】
次に、本発明の実施形態を図面に基づいて説明する。
【００１５】
図１に示す実施形態の鋼製土台胴縁１において、２は土台胴縁本体、３は定着筋であり、定着筋３は全ネジボルトからなり、土台胴縁本体２は、閉鎖断面である方形角パイプ状の、高耐食溶融Ｚｎ−Ａｌ−Ｍｇ合金プレめっき鋼板の成形加工品からなっている。この高耐食鋼板には、例えば、ＺＡＭ（登録商標）として知られる高耐食溶融Ｚｎ−６％Ａｌ−３％Ｍｇ合金めっき鋼板などが用いられる。
【００１６】
そして、定着筋３を土台胴縁本体２に取り付けるため、土台胴縁本体２の上面部と下面部の幅方向中央部にはそれぞれ、定着筋３を通すための通孔２ａ，２ａが上下方向に同心状態に設けられている。そして、一端側に一方のナット４を螺合させた定着筋３を、その他端側より土台胴縁本体２の上下の通孔２ａ，２ａに貫通状態に通し、定着筋３の他端側よりもう一方のナット５を螺合し、これらナット４，５で土台胴縁本体２を上下方向から挟み込むように締め込むことによって、定着筋３は土台胴縁本体２に取り付けられている。
【００１７】
上記の鋼製土台胴縁１は、コンクリート腰壁６を形成する図示しない型枠内に設置された後、型枠内に打設されたコンクリートによって、図１（ロ）に示すように、定着筋３が腰壁コンクリート６中に埋込み状態にされて、コンクリート腰壁６の上端部に横向きに設けられる。なお、７は外装材、８は水切り、９は建物の躯体構造部を構成する鋼製柱である。
【００１８】
上記の鋼製土台胴縁１では、土台胴縁本体２が高耐食溶融Ｚｎ−Ａｌ−Ｍｇ合金プレめっき鋼板の成形加工品からなり、定着筋３は、土台胴縁本体２の周壁の上面部と下面部とに明けられた通孔２ａ，２ａに貫通状態に通され、上下のナット４，５で土台胴縁本体２を上下方向から挟み込んで土台胴縁本体２に取り付けた構造となっているから、鋼製土台胴縁本体２を製作する過程で行われる切断や、定着筋３を貫通させる通孔２ａ，２ａの孔明けを行っても、めっき層による犠牲腐食作用が強く働き、それらの部分が原因で後に腐食を生じてしまうというようなことはなく、そのため、定着筋３の取り付けられた鋼製土台胴縁１に対して、塗装や後めっきをする必要がなく、工場や現場での防食のための工程をなくすことができる。また、このように、定着筋３をネジ接合で土台胴縁本体２に取り付けた構造であるから、それらの接合のための溶接技能者を用意する必要もない。
【００１９】
しかも、定着筋３は、角パイプ状の土台胴縁本体２に対し、該土台胴縁本体２を上下方向に貫通するように備えられているから、土台胴縁本体２と定着筋３とを同心状態にすることができて、土台胴縁本体２を定着筋３によって力学的に安定良くコンクリート腰壁６と連結することができる。
【００２０】
更に、土台胴縁本体２を上方から挟み込むのがナットからなっているので、建物解体時には、この上ナット４を外すことで、土台胴縁本体２をコンクリート腰壁６から容易に分離することができて、解体作業を容易にすることができると共に、土台胴縁本体２のリユースも容易にすることができる。
【符号の説明】
【００２１】
１…鋼製土台胴縁
２…土台胴縁本体
２ａ…通孔
３…定着筋
４，５…ナット
６…コンクリート腰壁
【図１】
2010255354.tif 000003